(57)【要約】【課題】骨折の超音波治療を行う場合における新しい骨組織の生成促進効果を向上させる。【解決手段】先端部の尖った細い棒状の芯材１１の周面には軸方向に複数の溝部１２と複数の凸条部１３が交互に形成されると共に、凸条部１３の外周面に凹凸部１３ａが形成されている。また、各凸条部１３の間に薄板１４が張り渡されている。この骨接合用くぎ１５を超音波治療に用い、骨接合用くぎ１５に超音波振動を与えると、薄板１４が骨の内部で共振し振動板として作用する。このため薄板１４の無い従来の骨接合用くぎを用いた場合に比べて振動エネルギーが効率よく骨折部に伝達され、骨組織を速やかに生成することができる。【選択図】        図１
2004154479.tif 000002
【特許請求の範囲】
【請求項１】
棒状の芯材に複数の凸条部が径方向に形成されると共に、各凸条部間に薄板が張り渡されていることを特徴とする骨接合用くぎ。
【請求項２】
前記薄板の両縁部が前記凸条部の側面に固定されていることを特徴とする請求項１記載の骨接合用くぎ。
【請求項３】
前記凸条部の外周面に凹凸部が形成されていることを特徴とする請求項１又は２記載の骨接合用くぎ。
【請求項４】
棒状の芯材の内部に空洞部が形成されていることを特徴とする骨接合用くぎ。
【請求項５】
前記芯材の外周部に凹凸部が形成されていることを特徴とする請求項４記載の骨接合用くぎ。
【発明の詳細な説明】
【０００１】
【発明の属する技術分野】
本発明は、骨折の超音波治療に用いられる骨接合用くぎに関するものである。
【０００２】
【従来の技術】
図３に従来の骨接合用くぎを用いた骨折治療方法を示す。
まず、同図（ａ）に示すように、骨１の骨折部２に対して２枚の細長い板３と２本の骨接合用くぎ４を用意する。板３は両端部に挿通穴３ａが設けられ、骨接合用くぎ４は、図示のように先端部が尖った細い円柱状をなすものである。
【０００３】
次に同図（ｂ）のように、骨折部２を突き合せた状態で骨１の骨折部２を挟む両側面に板３を当てがい、２本の骨接合用くぎ４を骨折部２の両側において板３の挿通穴３ａから挿しこんで板３、骨１、板３を貫通させ、三者を一体的に固定する。この状態で一定期間が過ぎると、骨折部２に骨組織が生成されて骨折部２を接合固定することができる。
【０００４】
この骨組織の生成を促進するために、骨接合用くぎ４に超音波振動を与えることが考えられるが、従来の骨接合用くぎは、超音波振動を与えることを前提とするものではない。
【０００５】
したがって、患部に超音波振動を与えることを前提とする骨接合用くぎに関しては、適当な特許文献を挙げることができない。
【０００６】
【発明が解決しようとする課題】
しかしながら、従来の骨接合用くぎ４に超音波振動を与える方法では、振動を骨折部２に十分に伝えることができず、このため骨組織生成の促進効果を十分得ることができず、必要な骨組織が生成されるまで長時間を要するという問題があった。
【０００７】
本発明は上記の問題を解決するためのもので、骨折部に超音波振動を効率よく伝えることのできる骨接合用くぎを提供することを目的とするものである。
【０００８】
【課題を解決するための手段】
上記の目的を達成するために本発明による骨接合用くぎは、棒状の芯材に複数の凸条部が軸方向に形成されると共に、各凸条部間に薄板が張り渡されていることを特徴とするものである。
【０００９】
また、本発明による骨接合用くぎは、棒状の芯材の内部に空洞部が形成されていることを特徴とするものである。
【００１０】
【作用】
従って、本発明によれば、骨接合用くぎに超音波振動を与えることにより、薄板、あるいは空洞部が共振するので、振動エネルギーが効率よく骨折部に伝達され、従って、骨組織の生成を速やかに行うことができる。
【００１１】
【発明の実施の形態】
以下、本発明の実施の形態を図面と共に説明する。
図１は本発明の第１の実施の形態による骨接合用くぎ１５を示す。
同図（ａ）（ｂ）に示すように、先端部の尖った細い棒状の芯材１１の周面には、軸方向に複数の溝部１２と凸条部１３が交互に設けられている。凸条部１３の外周面には凹凸１３ａが形成されている。また、凸条部１３間には薄板１４が張り渡されている。芯材１１及び薄板１４の材質としては例えばチタン等が用いられる。
【００１２】
薄板１４は、図示のようにその両側の縁部が凹凸部１３ａの下の凸条部１３の側面に溶接されている。このため、薄板１４の面は凹凸部１３ａの外周面より内側に存在している。
【００１３】
この骨接合用くぎ１５を図３において従来の骨接合用くぎ４の代わりに用い、同図（ｂ）の状態とする。尚、骨１には予め骨接合用くぎ１５を挿通するための貫通穴が設けられ、この貫通穴に骨接合用くぎ１５を挿入することにより、上記の状態となす。次に、骨接合用くぎ１５に対して外部の超音波発信装置から超音波振動を与えると、骨接合用くぎ１５が振動するが、このとき薄板１４が骨１の内部で共振し、振動板として作用する。
【００１４】
この場合、薄板１４の面が凹凸部１３の外周面より内側にあるため、薄板１４は溝１２内で振動することができる。このように薄板１４が超音波振動することにより、薄板１４の無い従来の骨接合用くぎ４を用いた場合に比べて振動エネルギーが効率よく骨折部２に伝達され、骨組織を速やかに生成することができる。
【００１５】
尚、上記実施の形態では、凸条部１３に凹凸部１３ａを設けているが、骨接合用くぎ１５の骨からの抜け止め機能が不要な場合には、凹凸部１３ａを省略することができる。その場合にも、薄板１４の面が凸条部１３の外周面より内側に存在するように、薄板１４の両縁部が凸条部１３の側面に溶接される。また、凹凸部１３ａとして、例えばねじ加工用のリーマのように、回転によって螺旋状の軌跡を持つ凹凸を設け、骨へねじ込むことができるようにしても良い。
【００１６】
図２は本発明の第２の実施の形態による骨接合用くぎ１６を示す。
本実施の形態による骨接合用くぎ１６は、同図（ａ））に示すように、先端部の尖った細い棒状の芯材１１の内部に空洞部１１ａ設けたものである。即ち、芯材１１を円筒状にしたものである。同図（ｂ）は他の形状の空洞部１１ｂを示すもので、芯材１１に複数の細い穴を設けたものである。
【００１７】
この骨接合用くぎ１６を図３において従来の骨接合用くぎ４の代わりに用い、骨１に設けられた貫通穴に骨接合用くぎ１６を挿通して同図（ｂ）の状態となし、次に、骨接合用くぎ１５に対して超音波振動を与えると、骨接合用くぎ１６が振動するが、このとき空洞部１１ａ又は１１ｂの内部でも空気の共振が生じるので、振動エネルギーが効率よく骨折部２に伝達され、骨組織を速やかに生成することができる。
【００１８】
尚、芯材１１における空洞部の形状は、図２（ａ）（ｂ）に限ることなく様々な変形が可能である。また、芯材１１の外周面にネジ部を設けて、骨接合用くぎ１６骨１の貫通穴にネジ込むようにしてもよい。
また、各実施の形態における芯材１１の断面形状は、図１、図２に示す形状に限ることなく、種々の変形が可能である。
【００１９】
【発明の効果】
以上説明したように、本発明による骨接合用くぎによれば、骨折部を超音波治療する場合おける骨組織生成の促進効果を高めることができ、従来の骨接合用くぎに比べて治療時間を短縮することができる。
【図面の簡単な説明】
【図１】本発明の第１の実施の形態による骨接合用くぎを示す斜視図及び断面図である。
【図２】本発明の第２の実施の形態による骨接合用くぎを示す斜視図である。
【図３】従来の骨接合用くぎを用いた骨折治療方法を示す分解斜視図及び側面図である。
【符号の説明】
１  骨
２  骨折部
３  板
３ａ  挿通穴
１１  芯材
１１ａ  空洞部
１３  凸条部
１３ａ  凹凸部
１４  薄板
１５、１６  骨接合用くぎ
【図１】
2004154479.tif 000003
【図２】
2004154479.tif 000004
【図３】
2004154479.tif 000005